(57)【要約】【課題】積載によるかご床の沈降の有無によらず、戸閉時にかごドアの下端部とかご敷居との隙間を密封することが可能なエレベーター装置を提供する。【解決手段】下部遮蔽体１４、可動板１２及び連動機構１０を有するドアパネル５とかご敷居９を備える。下部遮蔽体１４は、可動板１２に固定される。可動板１２は、下部に下部遮蔽体１４が固定され、上部に有する長孔１２ａを介して連動機構１０に連結される。連動機構１０は、一端部に押圧部１１を有し、他端部が上下動可能な部分１０ａであり、他端部に、長孔１２ａの内部を上下動可能に貫通し可動板１２を支持する軸１３を備える。戸閉時には、押圧部１１が押圧され、上下動可能な部分１０ａ、可動板１２、及び下部遮蔽体１４が下降する。下部遮蔽体１４がかご敷居９に当接した後に押圧部１１がさらに押圧されると、軸１３が長孔１２ａの内部を下降することにより、上下動可能な部分１０ａはさらに下降できる。【選択図】図２
2014151971.tif 000002
【特許請求の範囲】
【請求項１】
ドアパネルを有し、かご出入口を開閉するドア本体と、かご床に固定され、前記ドアパネルが移動するかご敷居とを備えるエレベーター装置において、
前記ドアパネルは、下部遮蔽体、可動板、及び連動機構を有するドア下端部密封機構を備え、
前記下部遮蔽体は、前記ドアパネルの幅方向全体に渡って延在し、前記可動板に固定されて上下動可能であり、前記ドア本体の戸閉時には下降して前記かご敷居に当接することができ、
前記可動板は、上下方向に延在し、下部に前記下部遮蔽体が固定され、上部に上下方向に長い形状の長孔を有し、前記長孔を介して前記連動機構に連結され、
前記連動機構は、上下動可能な部分を有するように前記ドアパネルに設けられ、一端部に前記ドア本体の戸閉時に押圧される押圧部を有し、他端部が前記上下動可能な部分であり、前記他端部に、前記長孔の内部を上下動可能に貫通し前記可動板を支持して上下に移動させることができる軸を備え、
前記ドア本体の戸閉時には、前記連動機構は、前記押圧部が押圧されて前記上下動可能な部分が下降し、前記可動板は、前記軸に支持されて下降し、前記下部遮蔽体は、前記可動板とともに下降して前記かご敷居に当接し、
前記下部遮蔽体が前記かご敷居に当接した後に前記押圧部がさらに押圧されると、前記軸が前記長孔の内部を下降することにより、前記上下動可能な部分はさらに下降できる、
ことを特徴とするエレベーター装置。
【請求項２】
前記ドアパネルは、ローラを備え、
前記連動機構は、前記ローラに支持され、前記ローラによって位置が分けられた上下動部と左右動部とを有し、
前記上下動部は、前記上下動可能な部分であり、
前記左右動部は、前記押圧部を備える請求項１記載のエレベーター装置。
【請求項３】
前記長孔は、上下方向の長さが、少なくとも、予め求めた積載による前記かご床の最大の沈降距離と前記軸の上下方向の長さとの和である請求項１記載のエレベーター装置。
【請求項４】
前記下部遮蔽体は、下端部に、前記ドア本体の戸閉時に前記かご敷居に当接するシール部材を備える請求項１記載のエレベーター装置。
【発明の詳細な説明】
【技術分野】
【０００１】
本発明は、かごドア装置を備えるエレベーター装置に関する。
【背景技術】
【０００２】
気密性を要するエレベーター装置のかごドア装置には、戸閉状態のときにかごドアの下端部とかご敷居との隙間を密封する遮蔽部材がドアの下部に設けられる。特許文献１には、かごドアとかご敷居との間の隙間を遮蔽するエレベータドア遮蔽装置が開示されている。特許文献１に記載のエレベータドア遮蔽装置は、エレベータドアと、エレベータドアに設けられ敷居に接触可能な遮蔽部材と、エレベータドアの開閉動作時には遮蔽部材と敷居とを非接触状態に保ち、エレベータドアが閉合位置に配置するときに遮蔽部材を敷居に接触させてエレベータドアと敷居との間の隙間を遮蔽するリンク機構を備える。
【先行技術文献】
【特許文献】
【０００３】
【特許文献１】特開２００４−３５２３９７号公報
【発明の概要】
【発明が解決しようとする課題】
【０００４】
エレベーター装置では、かごが積載してかご床が沈降すると、かご敷居もかご床とともに沈降する。従来のエレベーター装置のかごドア装置では、かご床が沈降した場合に、遮蔽部材がかご床の沈降に追従することができないため、遮蔽部材とかご敷居との間に隙間が開いてしまい、戸閉時にかごドアの下端部とかご敷居との隙間を密封するのが困難であるという課題がある。
【０００５】
本発明の目的は、積載によるかご床の沈降の有無によらず、戸閉時にかごドアの下端部とかご敷居との隙間を密封することが可能なエレベーター装置を提供することである。
【課題を解決するための手段】
【０００６】
上記課題を解決するために、本発明によるエレベーター装置は、次のような特徴を有する。
【０００７】
ドアパネルを有し、かご出入口を開閉するドア本体と、かご床に固定され、前記ドアパネルが移動するかご敷居とを備えるエレベーター装置において、前記ドアパネルは、下部遮蔽体、可動板、及び連動機構を有するドア下端部密封機構を備える。前記下部遮蔽体は、前記ドアパネルの幅方向全体に渡って延在し、前記可動板に固定されて上下動可能であり、前記ドア本体の戸閉時には下降して前記かご敷居に当接することができる。前記可動板は、上下方向に延在し、下部に前記下部遮蔽体が固定され、上部に上下方向に長い形状の長孔を有し、前記長孔を介して前記連動機構に連結される。前記連動機構は、上下動可能な部分を有するように前記ドアパネルに設けられ、一端部に前記ドア本体の戸閉時に押圧される押圧部を有し、他端部が前記上下動可能な部分であり、前記他端部に、前記長孔の内部を上下動可能に貫通し前記可動板を支持して上下に移動させることができる軸を備える。前記ドア本体の戸閉時には、前記連動機構は、前記押圧部が押圧されて前記上下動可能な部分が下降し、前記可動板は、前記軸に支持されて下降し、前記下部遮蔽体は、前記可動板とともに下降して前記かご敷居に当接する。前記下部遮蔽体が前記かご敷居に当接した後に前記押圧部がさらに押圧されると、前記軸が前記長孔の内部を下降することにより、前記上下動可能な部分はさらに下降できる。
【発明の効果】
【０００８】
本発明によれば、積載によるかご床の沈降の有無によらず、戸閉時にかごドアの下端部とかご敷居との隙間を密封することが可能なエレベーター装置を提供することができる。
【図面の簡単な説明】
【０００９】
【図１】本発明の実施形態例によるエレベーター装置のかごドア装置を示す背面図である。
【図２】かごドア装置の下部を示す拡大図である。
【図３】図２の線Ａ―Ａにおけるかごドア装置の断面図である。
【図４】連動機構と可動板との連結部分を示す拡大図である。
【図５Ａ】積載によりかご床が沈降している場合のドア本体の部分拡大図であり、戸開状態を示している。
【図５Ｂ】積載によりかご床が沈降している場合のドア本体の部分拡大図であり、ドア本体が完全に閉じたときの状態を示している。
【図６Ａ】積載によりかご床が沈降していない場合のドア本体の部分拡大図であり、戸開状態を示している。
【図６Ｂ】積載によりかご床が沈降していない場合のドア本体の部分拡大図であり、上下動部と可動板が距離Ｌｇだけ下降したときの状態を示している。
【図６Ｃ】積載によりかご床が沈降していない場合のドア本体の部分拡大図であり、ドア本体が完全に閉じたときの状態を示している。
【発明を実施するための形態】
【００１０】
以下、本発明によるエレベーター装置の実施形態について詳しく説明する。なお、以下の説明では、かごドアのことを単に「ドア」と呼び、かごドア装置のことを単に「ドア装置」とも呼ぶ。
【００１１】
図１は、本発明の実施形態例によるエレベーター装置のかごドア装置を示す背面図であり、昇降路側からかごドア装置を見た図である。かごドア装置は、ドア装置筐体２、ドアレール３、一対のドア本体４、及びかご敷居９を備える。
【００１２】
ドア装置筐体２は、乗客の乗降や荷物の積み下ろしをするかご出入口１の上方に固定されている。ドアレール３は、ドア装置筐体２に固定され、かご出入口１の間口方向に沿って延びている。一対のドア本体４は、かご出入口１を開閉する。ドア本体４の開閉は、ドアレール３によって案内される。かご敷居９は、かご出入口１の床部（かご床）に固定されている。
【００１３】
各ドア本体４は、ドアパネル５、ドアハンガ６、及び複数のハンガローラ７を有し、かご出入口１を開閉する。ドアハンガ６は、ドアパネル５の上端部に固定される。複数のハンガローラ７は、ドアハンガ６に設けられ、ドアレール３に沿って転動する。ドアパネル５は、ドアハンガ６に吊持され、ドアレール３とかご敷居９に沿って移動する。ドア本体４は、ドア装置に搭載されたドアモータ（図示せず）の駆動力によってドアパネル５が移動することにより開閉する。
【００１４】
かごが積載すると、かご床は積載物の重さで沈降する。しかし、ドアパネル５は、ドアハンガ６に吊持されているため、かごが積載しても沈降しない。このため、戸閉状態では、ドア本体４の下端部とかご床に固定されているかご敷居９との間に隙間が生じる。この隙間を密封するために、ドア本体４の下部には、ドア下端部密封機構８が設けられる。
【００１５】
図２は、かごドア装置の下部を示す拡大図であり、ドア下端部密封機構８の構成を示している。図３は、図２の線Ａ―Ａにおけるかごドア装置の断面図である。図２には、図１に示したドア本体４のうち、右側のドア本体４を示している。すなわち、図２に示したドア本体４の左側には、対となるドア本体４（図示せず）が存在する。図３には、かご１７とかご床１８も示している。図２と図３において、図１と同一の符号は図１と同一の要素を示しており、これらの要素については説明を省略する。
【００１６】
各ドア本体４の下端部には、複数の戸の脚１６が取り付けられている。戸の脚１６は、ドアパネル５の背面下部に固定された補強部材（図示せず）に固定されている。
【００１７】
かご床１８に固定されたかご敷居９には、敷居溝９ａが設けられている。敷居溝９ａは、かご出入口１の間口方向に沿って延び、戸の脚１６が挿入されており、ドア本体４の開閉動作時にドア本体４の下端部を案内する。
【００１８】
ドア下端部密封機構８は、ドアパネル５の下部に設けられ、下部遮蔽体１４、可動板１２、及び連動機構１０を有する。
【００１９】
下部遮蔽体１４は、ドアパネル５の幅方向全体に渡って延在し、可動板１２に固定され、可動板１２とともに上下動可能であり、戸閉時に下降して、戸閉状態のときにはドア本体４の下端部とかご敷居９との隙間をふさぐ。ドアパネル５には、下部遮蔽体１４の上下動を案内するための部材（例えば、突出部）を設けてもよい。
【００２０】
また、下部遮蔽体１４の下端部には、戸閉状態のときにかご敷居９に当接するシール部材１５が設けられる。シール部材１５は、例えばゴム又は樹脂等の弾性体からなり、ドアパネル５の幅方向全体に渡って延在する。図３に示すように、シール部材１５は、戸閉状態のときに、敷居溝９ａとかご１７の間の位置でかご敷居９の上面に当接し、ドア本体４の下端部とかご敷居９との隙間を密封する。また、戸開状態のときには、シール部材１５の下端は、かご敷居９に当接せず、かご敷居９の上方に位置する。かご床１８が沈降していない場合の戸開状態におけるシール部材１５の下端とかご敷居９との距離Ｌｇは、任意に定めることができる。
【００２１】
シール部材１５は、上下方向の長さが積載によるかご床１８の最大の沈降距離Ｌｓより大きいとする。積載によるかご床１８の最大の沈降距離Ｌｓは、かごの最大積載量を基に予め求めることができる。すなわち、かごの積載量が最大のときのかご床１８の沈降距離が、かご床１８の最大の沈降距離Ｌｓである。このような大きさのシール部材１５を用いて、ドア本体４の下端部とかご敷居９との隙間を密封させる。
【００２２】
可動板１２は、上下方向に延在し、下部に下部遮蔽体１４が固定され、上部に長孔１２ａを有し、長孔１２ａを介して連動機構１０に連結されている。可動板１２が下降すると、下部遮蔽体１４も下降する。長孔１２ａは、上下方向に長い形状の孔である（後述する図４を参照）。長孔１２ａの上下方向の長さＬｈについては、図４を用いて後述する。
【００２３】
連動機構１０は、ドアパネル５に設けられたローラ１９に支持されてドアパネル５に設けられ、上下動部１０ａと左右動部１０ｂとを有し、一端部に押圧部１１を、他端部に軸１３を備える。ローラ１９は、中心がドアパネル５に固定されており、回転可能である。
【００２４】
上下動部１０ａは、上下方向に移動する部分であり、左右動部１０ｂは、左右方向に移動する部分である。上下動部１０ａと左右動部１０ｂは連動機構１０のうちの常に定まった部分ではなく、ローラ１９によって位置が分けられた２つの部分を便宜的に上下動部１０ａ及び左右動部１０ｂと名付けたものである。すなわち、連動機構１０がローラ１９の回転とともに移動すると、上下動部１０ａの一部は左右動部１０ｂになることがあり、左右動部１０ｂの一部は上下動部１０ａになることがある。図２に示した例では、左右動部１０ｂが左方向に移動すると、上下動部１０ａの一部は左右動部１０ｂになり、左右動部１０ｂが右方向に移動すると、左右動部１０ｂの一部は上下動部１０ａになる。
【００２５】
軸１３は、上下動部１０ａに設けられ、可動板１２との連結に用いられる。軸１３の上下方向の長さ（太さ又は幅）をｄで表す。
【００２６】
押圧部１１は、左右動部１０ｂの一端に設けられ、戸開状態では、この押圧部１１を有する連動機構１０が設けられているドア本体４から、対となるドア本体４の方向に向かって突出している。この突出長さ（押圧部１１の長さ）は、かご床１８が沈降していない場合の戸開状態におけるシール部材１５の下端とかご敷居９との距離Ｌｇとかご床１８の最大の沈降距離Ｌｓの和、すなわちＬｇ＋Ｌｓとする。押圧部１１は、戸閉時には、この押圧部１１が設けられているドア本体４の閉じる方向とは反対方向に向かって、対となるドア本体４の押圧部１１又はドアパネル５に押圧される。連動機構１０の具体的な構成例は後述する。
【００２７】
また、連動機構１０は、戸開時に、この連動機構１０が設けられているドア本体４の開く方向とは反対方向に向かって、左右動部１０ｂを移動させるためのドア下端部密封解除機構２０を備える。ドア下端部密封解除機構２０は、左右動部１０ｂに対して、戸閉時に押圧部１１が押圧される方向とは反対方向に向かって、押圧部１１が押圧される力よりも弱い力を常に加えている。図２に示した例では、ドア下端部密封解除機構２０は、左右動部１０ｂに対して、右から左に向かう力を常に加えている。戸開時には押圧部１１を押圧する力が弱くなっていくので、左右動部１０ｂは、ドア下端部密封解除機構２０の作用により、戸閉時と反対方向に移動する。ドア下端部密封解除機構２０の具体的な構成例は後述する。
【００２８】
図４は、連動機構１０と可動板１２との連結部分を示す拡大図である。図４において、図１〜図３と同一の符号は図１〜図３と同一の要素を示しており、これらの要素については説明を省略する。
【００２９】
図４に示すように、連動機構１０の軸１３は、可動板１２の長孔１２ａの内部を上下動可能に貫通し、可動板１２をぶら下げるように支持することができる。長孔１２ａの上下方向の長さＬｈは、少なくともかご床１８の最大の沈降距離Ｌｓと軸１３の上下方向の長さｄの和、すなわち少なくともＬｓ＋ｄである。本実施形態例では、長孔１２ａの上下方向の長さＬｈは、Ｌｓ＋ｄとする。従って、軸１３は、長孔１２ａの内部を、距離Ｌｓだけ上下動することができる。上下動部１０ａが下に移動すると、可動板１２は、軸１３に支持されたまま（ぶら下がったまま）下降する。上下動部１０ａが上に移動すると、可動板１２は、軸１３が長孔１２ａの内側上部から可動板１２を引き上げることにより、上昇する。
【００３０】
連動機構１０は、戸閉時に押圧部１１が押圧されると、左右動部１０ｂがドア本体４の閉じる方向とは反対方向に移動し、ローラ１９によってこの移動の向きが変えられ、上下動部１０ａが下に移動し、可動板１２を下降させ、下部遮蔽体１４を下降させる。図２に示した例では、ドア本体４は右から左に向かって閉じるので、押圧部１１は右方向に押圧され、左右動部１０ｂは左から右に向かって移動する。ドア本体４が完全に閉じたときの左右動部１０ｂの移動距離、すなわち、左右動部１０ｂの最大の移動距離（上下動部１０ａの最大の移動距離と等しい）は、押圧部１１の長さＬｇ＋Ｌｓに等しい。
【００３１】
また、連動機構１０は、戸開時には、ドア下端部密封解除機構２０（図２を参照）により、左右動部１０ｂが戸閉時と反対方向に移動し、ローラ１９によってこの移動の向きが変えられ、上下動部１０ａが上に移動し、可動板１２と下部遮蔽体１４を上昇させる。戸開時のドア下端部密封解除機構２０による連動機構１０（上下動部１０ａと左右動部１０ｂ）の移動距離は、Ｌｇ＋Ｌｓである。図２に示した例では、左右動部１０ｂは右から左に向かって移動する。
【００３２】
連動機構１０は、上述したように、戸閉時に、一端部にある押圧部１１が押圧されると、他端部に連結された可動板１２を下降させる機構であり、このような動作が可能であれば、形状や素材は任意に定めることができる。連動機構１０には、例えば、ロープなどの索状体、板状部材又は棒状部材を用いることができる。連動機構１０にロープなどの索状体を用いる場合には、索状体は、ローラ１９に巻きかけられ、一端部（押圧部１１）が押圧されるとローラ１９の回転によって送り出されて下に移動し、可動板１２を下降させる。連動機構１０に板状部材又は棒状部材を用いる場合には、板状部材又は棒状部材は、ローラ１９に固定され、一端部（押圧部１１）が押圧されるとローラ１９とともに回転して下に移動し、可動板１２を下降させる。
【００３３】
ドア下端部密封解除機構２０は、上述したように、左右動部１０ｂに対して、戸閉時に押圧部１１が押圧される方向とは反対方向に向かって、押圧部１１が押圧される力よりも弱い力を常に加える機構であり、このような動作が可能であれば、形状や素材は任意に定めることができる。ドア下端部密封解除機構２０には、例えば、おもり又はばねを用いることができる。連動機構１０にロープなどの索状体を用いる場合には、ドア下端部密封解除機構２０としておもりを用いるのが有効である。索状体に固定したおもりの重量により、左右動部１０ｂに対して、戸閉時に押圧部１１が押圧される方向とは反対方向に向かって力を加えることができる。連動機構１０に板状部材又は棒状部材を用いる場合には、ドア下端部密封解除機構２０としてばねを用いるのが有効である。図２に示した例では、ドアパネル５とローラ１９（より詳細にはローラ１９の突出部）に固定されたばねをドア下端部密封解除機構２０として用いている。ばねの弾性力（図２では、ばねに付けた矢印の示す方向に働く）によりローラ１９に対してその回転方向に力を加えることで、ローラ１９に固定されている左右動部１０ｂに対して、戸閉時に押圧部１１が押圧される方向とは反対方向に向かって力を加えることができる。
【００３４】
また、ドア下端部密封解除機構２０は、戸開時に左右動部１０ｂが戸閉時と反対方向に距離Ｌｇ＋Ｌｓだけ移動するようにおもりの重量やばねの弾性力を調整して、連動機構１０に設ける。左右動部１０ｂが距離Ｌｇ＋Ｌｓより多く移動しないように左右動部１０ｂの移動を抑制する機構を、ドア下端部密封解除機構２０や連動機構１０に設けてもよい。
【００３５】
次に、積載によりかご床１８が沈降している場合と沈降していない場合における、戸閉時のドア下端部密封機構８の動作を、図５Ａ〜図５Ｂと図６Ａ〜図６Ｃを用いて説明する。図５Ａ〜図５Ｂと図６Ａ〜図６Ｃにおいて、図１〜図４と同一の符号は図１〜図４と同一の要素を示しており、これらの要素については説明を省略する。図５Ａ〜図５Ｂと図６Ａ〜図６Ｃでは、一対のドア本体４のうち一方のドアパネル５、連動機構１０（上下動部１０ａ）、可動板１２、下部遮蔽体１４及びシール部材１５と、かご敷居９とを拡大して、これらの一部を示している。なお、説明を分かりやすくするために、図５Ａ〜図５Ｂでは、かご敷居９は、かご床１８（図５Ａ〜図５Ｂと図６Ａ〜図６Ｃには示さず）とともに、かご床１８の最大の沈降距離Ｌｓだけ沈降しているものとし、図５Ａ〜図５Ｂと図６Ａ〜図６Ｃでは、かご床１８が沈降していない場合の戸開状態におけるシール部材１５の下端とかご敷居９との距離Ｌｇと、かご敷居９の沈降距離Ｌｓとを大きく誇張して表している。
【００３６】
ドア本体４の戸閉動作が開始されると、押圧部１１（図２を参照）が押圧されることにより、連動機構１０の上下動部１０ａが下に移動し、可動板１２が軸１３に支持されたまま下降する。可動板１２が下降すると、下部遮蔽体１４が下降し、下部遮蔽体１４に固定されたシール部材１５も下降する。
【００３７】
図５Ａと図５Ｂは、積載によりかご床１８が沈降している場合のドア本体４の部分拡大図であり、戸閉時のドア下端部密封機構８の動作を示す図である。
【００３８】
図５Ａは、戸開状態を示している。かご敷居９が距離Ｌｓだけ沈降しているため、シール部材１５の下端とかご敷居９との距離はＬｇ＋Ｌｓである。また、図５Ａには示していないが、押圧部１１は、上述したように、Ｌｇ＋Ｌｓの長さだけドア本体４から突出している。
【００３９】
ドア本体４が閉じていくと、押圧部１１が押圧されていき、上下動部１０ａ、可動板１２、下部遮蔽体１４及びシール部材１５が下降していく。上述したように、ドア本体４が完全に閉じたときの上下動部１０ａの移動距離は、押圧部１１の長さＬｇ＋Ｌｓに等しい。従って、ドア本体４が完全に閉じると、シール部材１５は、かご敷居９の上面に当接し、ドア本体４の下端部とかご敷居９との隙間を密封する。
【００４０】
図５Ｂは、ドア本体４が完全に閉じたときの状態を示している。上下動部１０ａがシール部材１５の下端とかご敷居９との距離Ｌｇ＋Ｌｓだけ下降したので、可動板１２は、軸１３に支持されたまま（ぶら下がったまま）距離Ｌｇ＋Ｌｓだけ下降している。この結果、下部遮蔽体１４も距離Ｌｇ＋Ｌｓだけ下降しており、シール部材１５は、かご敷居９の上面に当接して、ドア本体４の下端部とかご敷居９との隙間を密封している。このとき、軸１３は、長孔１２ａの上端に接している。
【００４１】
かご床１８が最も沈降していない場合、すなわち、かご敷居９が距離Ｌｓより小さい距離Ｌｓ’だけ沈降している場合には、後述するかご床１８が沈降していない場合と同様に、シール部材１５がかご敷居９の上面に当接した後は、軸１３が長孔１２ａの内部を下に移動するため、上下動部１０ａはさらに下降することができ、ドア本体４を完全に閉じることができる。ドア本体４が完全に閉じた状態では、軸１３は、かご敷居９が沈降した距離Ｌｓ’に応じて、長孔１２ａの内部のいずれかに位置している（具体的には、軸１３は長孔１２ａの内部を距離Ｌｓ−Ｌｓ’だけ下に移動し、軸１３の上端は、長孔１２ａの上端から距離Ｌｓ−Ｌｓ’だけ離れた場所に位置している）。
【００４２】
図６Ａ〜図６Ｃは、積載によりかご床１８が沈降していない場合のドア本体４の部分拡大図であり、戸閉時のドア下端部密封機構８の動作を示す図である。
【００４３】
図６Ａは、戸開状態を示している。かご敷居９が沈降していないので、シール部材１５の下端とかご敷居９との距離はＬｇである。また、図６Ａには示していないが、押圧部１１は、上述したように、Ｌｇ＋Ｌｓの長さだけドア本体４から突出している。
【００４４】
ドア本体４が閉じていくと、押圧部１１が押圧されていき、上下動部１０ａ、可動板１２、下部遮蔽体１４及びシール部材１５が下降していく。ドア本体４が距離Ｌｇだけ閉じて、上下動部１０ａと可動板１２が距離Ｌｇだけ下降すると、シール部材１５は、かご敷居９の上面に当接し、ドア本体４の下端部とかご敷居９との隙間を密封する。
【００４５】
図６Ｂは、上下動部１０ａと可動板１２が距離Ｌｇだけ下降したときの状態を示している。上下動部１０ａが距離Ｌｇだけ下降したので、可動板１２は、軸１３に支持されたまま（ぶら下がったまま）距離Ｌｇだけ下降している。この結果、下部遮蔽体１４も距離Ｌｇだけ下降しており、シール部材１５は、かご敷居９の上面に当接して、ドア本体４の下端部とかご敷居９との隙間を密封している。このとき、軸１３は、長孔１２ａの上端に接している。
【００４６】
図６Ｂに示した状態では、シール部材１５がかご敷居９の上面に当接しているので、可動板１２は、これ以上は下降できない。しかし、図６Ｂには示していないが、押圧部１１は、長さＬｓだけドア本体４から突出しており、ドア本体４は完全に閉じていない。
【００４７】
さらにドア本体４が閉じていき押圧部１１が押圧されていくと、可動板１２は下降しないが、上下動部１０ａは、距離Ｌｓだけ下降することができる。この理由は、図４に示したように、長孔１２ａの上下方向の長さＬｈがＬｓ＋ｄであり、軸１３は、長孔１２ａの内部を距離Ｌｓだけ下に移動することができるからである。このようにして、ドア本体４は、完全に閉じることができる。
【００４８】
図６Ｃは、ドア本体４が完全に閉じたときの状態を示している。上下動部１０ａが図６Ｂの状態からさらに距離Ｌｓだけ下降したので、軸１３は、長孔１２ａの下端に接している。
【００４９】
次に、積載によりかご床１８が沈降している場合と沈降していない場合における、戸開時のドア下端部密封機構８の動作を説明する。ドア本体４の戸開動作が開始されると、押圧部１１が押圧されなくなり、上下動部１０ａが上に移動していく。上下動部１０ａは、ドア本体４が完全に開いたときには、距離Ｌｇ＋Ｌｓだけ上昇する。
【００５０】
積載によりかご床１８が沈降している場合でかご床１８が最も沈降している場合、すなわち、かご敷居９が距離Ｌｓだけ沈降している場合は、軸１３は、図５Ｂに示したように長孔１２ａの上端に接している。この場合には、軸１３は、上下動部１０ａが距離Ｌｇ＋Ｌｓだけ上昇すると、長孔１２ａの内側上部から可動板１２を距離Ｌｇ＋Ｌｓだけ引き上げる。
【００５１】
積載によりかご床１８が沈降している場合でかご床１８が最も沈降していない場合、すなわち、かご敷居９が距離Ｌｓ’（＜Ｌｓ）だけ沈降している場合は、軸１３の上端は、長孔１２ａの上端から距離Ｌｓ−Ｌｓ’だけ離れた場所に位置している。この場合には、軸１３は、上下動部１０ａが距離Ｌｓ−Ｌｓ’だけ上昇すると、軸１３も長孔１２ａの内部を距離Ｌｓ−Ｌｓ’だけ上に移動し、長孔１２ａの上端に接する。上下動部１０ａがさらに距離Ｌｓ’＋Ｌｇだけ上昇すると、軸１３は、長孔１２ａの内側上部から可動板１２を距離Ｌｓ’＋Ｌｇだけ引き上げる。この結果、ドア本体４が完全に開いたとき（上下動部１０ａが距離Ｌｇ＋Ｌｓだけ上昇したとき）には、図５Ａに示したような状態になる。
【００５２】
積載によりかご床１８が沈降していない場合は、軸１３は、図６Ｃに示したように、長孔１２ａの下端に接している。この場合には、軸１３は、上下動部１０ａが距離Ｌｓだけ上昇すると、軸１３も長孔１２ａの内部を距離Ｌｓだけ上に移動し、長孔１２ａの上端に接する。上下動部１０ａがさらに距離Ｌｇだけ上昇すると、軸１３は、長孔１２ａの内側上部から可動板１２を距離Ｌｇだけ引き上げる。この結果、ドア本体４が完全に開いたときには、図６Ａに示したような状態になる。
【００５３】
このようにして、上下動部１０ａは、可動板１２と下部遮蔽体１４を上昇させ、シール部材１５をかご敷居９から離す。従って、ドア本体４の戸開動作は、シール部材１５がかご敷居９から離れた状態で行われる。
【００５４】
以上説明したように、本実施例によるエレベーター装置では、軸１３と長孔１２ａにより連動機構１０（上下動部１０ａ）と可動板１２とが上下方向の相対的な位置を変えることができるので、かご床１８（かご敷居９）の沈降の有無によらず、戸閉状態においてドア本体４の下端部とかご敷居９との隙間を確実に密封することができる。ドア本体４の戸開動作は、シール部材１５とかご敷居９とが接触せずに行われるので、ドア本体４の開閉動作性能を維持することができる。従って、本実施例によるエレベーター装置では、気密性・遮煙性・遮音性・遮光性を高めることができる。
【００５５】
なお、本発明は、上記の実施例に限定されるものではなく、様々な変形例を含む。例えば、上記の実施例は、本発明を分かりやすく説明するために詳細に説明したものであり、本発明は、必ずしも説明した全ての構成を備える態様に限定されるものではない。
【００５６】
また、各図面において、制御線や情報線は説明上必要と考えられるものを記載しており、必ずしも製品として必要な全ての制御線や情報線を記載しているとは限らない。実際の製品では、殆ど全ての構成要素が相互に接続されていると考えてもよい。
【符号の説明】
【００５７】
１…かご出入口、２…ドア装置筐体、３…ドアレール、４…ドア本体、５…ドアパネル、６…ドアハンガ、７…ハンガローラ、８…ドア下端部密封機構、９…かご敷居、９ａ…敷居溝、１０…連動機構、１０ａ…上下動部、１０ｂ…左右動部、１１…押圧部、１２…可動板、１２ａ…長孔、１３…軸、１４…下部遮蔽体、１５…シール部材、１６…戸の脚、１７…かご、１８…かご床、１９…ローラ、２０…ドア下端部密封解除機構。
【図１】
2014151971.tif 000003
【図２】
2014151971.tif 000004
【図３】
2014151971.tif 000005
【図４】
2014151971.tif 000006
【図５Ａ】
2014151971.tif 000007
【図５Ｂ】
2014151971.tif 000008
【図６Ａ】
2014151971.tif 000009
【図６Ｂ】
2014151971.tif 000010
【図６Ｃ】
2014151971.tif 000011